(57)【要約】    【課題】  型枠の取付作業が容易で、施工性に優れたコンクリート型枠支持具を提供する。    【解決手段】  基礎地盤12に打ち込む縦杆２と、この縦杆２の上部に設けられ型枠11を上方から嵌入可能で型枠長さ方向の嵌入受部材３とを一体に備える。型枠設置位置に合わせて、支持具１の縦杆２を打ち込み、嵌合受部材３を基礎地盤上に設置し、その嵌合受部材３内に上部から型枠11を嵌入して該型枠11を基礎地盤上に簡便に支持固定することができる。そして、支持具１は嵌入により型枠11を固定するものであるから、コンクリートが硬化し、型枠11を外した後、支持具１自体を引き抜いて、繰り返し使用することができる。【選択図】      図１
2006002448.tif 000002
【特許請求の範囲】
【請求項１】
基礎地盤上に型枠を固定し、前記型枠内にコンクリートを打設して前記基礎地盤上にコンクリート基礎を構築するコンクリート基礎の構築に用いられ、前記型枠を基礎地盤上に固定するコンクリート型枠支持具において、前記基礎地盤に打ち込む縦杆と、この縦杆の上部に設けられ前記型枠を上方から嵌入可能な嵌入受部材とを一体に備えることを特徴とするコンクリート型枠支持具。
【請求項２】
前記縦杆の上端部を前記嵌入受部材の上端より上方に突出したことを特徴とする請求項１記載のコンクリート型枠支持具。
【請求項３】
前記縦杆の外周面が円柱状であることを特徴とする請求項１又は２記載のコンクリート型枠支持具。
【請求項４】
請求項２又は３のコンクリート型枠支持具を用いて基礎地盤上に型枠を固定し、前記型枠内にコンクリートを打設して前記基礎地盤上にコンクリート基礎を構築するコンクリート基礎構築方法であって、前記縦杆の上端部に打撃を加えて前記基礎地盤に該縦杆を打ち込み、１つの前記型枠に対して複数の前記支持具を基礎地盤上に並設すると共に、前記上端部を基準として前記支持具の高さを設定し、複数並設した前記支持具の嵌入受部材に前記型枠を嵌入する際、前記縦杆を回すことにより前記嵌入受部材の向きを合わせ、複数の支持具の前記嵌入受部材に前記型枠を嵌入することを特徴とするコンクリート基礎構築方法。
【発明の詳細な説明】
【技術分野】
【０００１】
本発明は、住宅などの建築物において、基礎地盤上に型枠を固定し、前記型枠内にコンクリートを打設して基礎地盤上にコンクリート基礎を構築するコンクリート基礎の構築に用いられ、前記型枠を基礎地盤上に固定する型枠支持具とこれを用いたコンクリート基礎構築方法に関する。
【背景技術】
【０００２】
従来、住宅などの木造建築物に用いられる基礎構造として、布基礎が知られており、地面に溝を掘る根切りを行い、その溝に砕石と砂利などを敷いて基礎地盤を形成し、この基礎地盤上に墨出しを行い、基礎地盤上に型枠を設置し、型枠内にコンクリートを打設し、コンクリート硬化後、型枠を外してコンクリート基礎が構築される。
【０００３】
このような基礎構築においては、基礎地盤上に型枠を固定するため、縦材と斜材と固定材などの複数の部材を組み合わせた添え木が用いられていた。そして、型枠の固定作業は、現場で木材などを組み立てて行うものであるため、時間と材料費のかかる作業であった。
【０００４】
このような問題を考慮して、横棒と縦棒を有する支持基体の前記横棒上に型枠の下端部を嵌入支持しうる嵌合部が設けられ、前記縦棒上に前記横棒と平行に支持板が取り付けられた治具を用い、前記治具の縦棒を支持板が根掘穴の底面に当接するまで根掘穴に差し込むようにして、根掘穴内に所定間隔をおいて前記治具を複数個配置し、型枠を前記配置した治具間に差し渡し、型枠下端部を対応する治具の前記嵌合部に嵌入して固定し、治具の横棒下方および型枠にコンクリートを流し込み、前記横杆にはフーチング用の側板が取り付けられているコンクリート基礎工法（例えば特許文献１）が提案されている。
【０００５】
また、金属製薄板材による一体的なプレス成形品であって、適当な幅を有する帯状の水平板部材と、該水平板部材の両端から直角に上方に折り曲げられた側板部と、前記水平板部材の両端部寄りで互いに所定の間隔を隔てて立設された立上片、とからなり、前記立上片とこれに隣接する側板部との間隔は型枠の厚みと略等しい寸法で形成されており、前記水平板部材の立上片の折曲基端部には切断を容易にするためのミシン目が幅方向に沿って形成されており、更に前記側板部の下部に工具差込孔が設けられているコンクリート型枠の支持具（例えば特許文献２）が提案されている。
【特許文献１】特開平５−２１４７３３号公報
【特許文献２】実開平７−１６８４９号公報
【発明の開示】
【発明が解決しようとする課題】
【０００６】
上記治具及び支持具では、現場で加工する前記添え木に比べて、施工性の向上を図ることができるが、上記治具及び支持具は、いずれも構造が比較的複雑で、材料費及び加工費の削減が難しく、しかも、両者ともコンクリート内に埋設されるものであるから、再利用することができず、材料費を含めて施工コストの上昇が避けられなかった。また、上記支持具は、型枠の位置調整などの機能は備えておらず、一方、上記治具は、嵌合部が横棒上で移動可能に固定されているから、嵌合部の位置調整を行うことができるが、治具の位置合わせを含む設置作業に複数の作業員が必要になることが予想される。
【０００７】
そこで、本発明は、型枠の取付作業が容易で、施工性に優れたコンクリート型枠支持具とこれを用いたコンクリート基礎構築方法を提供することを目的とする。
【課題を解決するための手段】
【０００８】
請求項１の支持具は、基礎地盤上に型枠を固定し、前記型枠内にコンクリートを打設して前記基礎地盤上にコンクリート基礎を構築するコンクリート基礎の構築に用いられ、前記型枠を基礎地盤上に固定するコンクリート型枠支持具において、前記基礎地盤に打ち込む縦杆と、この縦杆の上部に設けられ前記型枠を上方から嵌入可能な嵌入受部材とを一体に備えるものである。
【０００９】
また、請求項２の支持具は、前記縦杆の上端部を前記嵌入受部材の上端より上方に突出しものである。
【００１０】
また、請求項３の支持具は、前記縦杆の外周面が円柱状であるものである。
【００１１】
また、請求項４の構築方法は、請求項２又は３のコンクリート型枠支持具を用いて基礎地盤上に型枠を固定し、前記型枠内にコンクリートを打設して前記基礎地盤上にコンクリート基礎を構築するコンクリート基礎構築方法であって、前記縦杆の上端部に打撃を加えて前記基礎地盤に該縦杆を打ち込み、１つの前記型枠に対して複数の前記支持具を基礎地盤上に並設すると共に、前記上端部を基準として前記支持具の高さを設定し、複数並設した前記支持具の嵌入受部材に前記型枠を嵌入する際、前記縦杆を回すことにより前記嵌入受部材の向きを合わせ、複数の支持具の前記嵌入受部材に前記型枠を嵌入する構築方法である。
【発明の効果】
【００１２】
請求項１の構成によれば、型枠設置位置に合わせて、支持具の縦杆を打ち込み、嵌合受部材を基礎地盤上に設置し、その嵌合受部材内に上部から型枠を嵌入して該型枠を基礎地盤上に簡便に固定することができる。そして、支持具は嵌入により型枠を固定するものであるから、コンクリートが硬化し、型枠を外した後、支持具自体を引き抜いて、繰り返し使用することができる。
【００１３】
また、請求項２の構成によれば、基礎地盤に縦杆を打ち込む際、縦杆の上端部が嵌入受部材より上部にあるから、嵌入受部材に打撃が加わることがなく、しかも、設置状態で、上端部の位置を測定することにより、複数の支持具の高さ位置を正しく設定することができ、これにより型枠の設置高さを正確に設定することができる。
【００１４】
また、請求項３の構成によれば、縦杆を打ち込んで設置した後、縦杆の外周面が円柱状であるから、縦杆を中心に嵌入受部材の向きを調整することができる。
【００１５】
また、請求項４の構成によれば、上端部の高さ位置を測定などすることにより、上端部を基準にして複数の支持具の高さを合わせて並設し、複数の支持具の嵌入受部材の向きは、縦杆を中心に回転することにより調整し、複数の嵌入受部材中に型枠を簡便に嵌入して固定することができ、工数及び作業員の数も必要最小限で済み、作業性に優れたものとなる。
【発明を実施するための最良の形態】
【００１６】
本発明における好適な実施の形態について、添付図面を参照しながら詳細に説明する。尚、以下に説明する実施の形態は、特許請求の範囲に記載された本発明の内容を限定するものではない。また、以下に説明される構成の全てが、本発明の必須要件であるとは限らない。各実施例では、従来とは異なる新規なコンクリート型枠支持具を採用することにより、従来にないコンクリート型枠支持具が得られ、そのコンクリート型枠支持具とこれを用いたコンクリート基礎構築方法について記述する。
【実施例１】
【００１７】
以下、本発明のコンクリート型枠支持具とこれを用いたコンクリート基礎構築方法の実施例について説明すると、図１〜図４は本発明の実施例１を示し、同図において、コンクリート型枠支持具（以下、支持具という）１は、金属製などの耐久性を備えた硬質材料からなり、丸棒からなる縦杆２の上部に嵌入受部材３を一体に設けている。この嵌入受部材３は、金属板を略コ字状に形成して上端及び左右両端が開口したものであり、底板４と両側板５，５とを一体に有し、一方の側板５の外面に前記縦杆２を溶着などによりその側板５の左右方向中央に固着しており、前記嵌入受部材３の側板５，５上縁より前記縦杆２の上端部２Ｔが高く、その上縁より上端部２Ｔがほぼ５ｍｍ程度上方に突出している。尚、支持具１は複数用いられるが、前記突出寸法は全ての支持具１で同一である。また、突出寸法が多過ぎると、コンクリート打設時の邪魔になり、一方、少なすぎると、測量しにくく、かつハンマーで打撃を加えた際に突出部自体が完全に潰れてしまい繰り返し使用することができなくなるので、突出寸法を２〜８ｍｍ好ましくは４〜６ｍｍとする。また、嵌合受部材３の深さ、すなわち側板５の高さは、型枠11の高さとほぼ同一である。この型枠11は木製板材などからなり、前記嵌入受部材３の幅、すなわち側板５，５の間隔とほぼ等しい厚さを有し、かつ前記嵌入受部材３とほぼ等しい高さを有し、嵌入受部材３の左右方向に長く形成されている。また、支持具１は繰り返し使用されるかＳら、金属製の場合、耐久性に優れたステンレス製とすることが好ましい。
【００１８】
次に、前記支持具１と型枠11とを設けたコンクリート基礎の構築方法について説明する。尚、従来技術で説明した木造建築物の基礎構造を例に説明すると、根切りを行い、砕石と砂利などを敷いた基礎地盤12に、墨出しを行い、複数の支持具１を設置する。この場合、支持具１の縦杆２の上端部２Ｔにハンマー（図示せず）により打撃を与え、縦杆２を基礎地盤12中に打ち込む。型枠11は複数の支持具１により位置決め固定され、複数の支持具１を型枠11の設置位置に合わせて基礎地盤12に固定する。縦杆２をある程度打ち込んだら、レーザー測量機14により上端部２Ｔの高さ位置を確認し、設計高さまで縦杆２を打ち込む。また、複数の支持具１の平面位置をレーザー測量機14により確認しながら縦杆２を打ち込むようにしてもよい。
【００１９】
そして、図４に示すように、縦杆２を打ち込む際は、嵌入受部材３の向きを正確に合わせる必要はなく、型枠11に対応する支持具１の設置が完了したら、支持基盤12に打ち込んだ縦杆２を中心に、嵌入受部材３を回し、隣り合う支持具１，１…の嵌入受部材３，３…の向きを合わせ、上方から型枠11を嵌入受部材３，３…内に嵌入することにより型枠11が位置決め状態で固定される。尚、縦杆２は安定性の面から、嵌入受部３の深さの３倍以上、好ましくは５倍以上の長さを有しており、該縦杆２の打ち込み作業中にレーザー測量機14により上端部２Ｔの高さ及び平面位置を測定して、縦杆２をまっすぐに打ち込むようにしてもよい。
【００２０】
そして、図２では、型枠11，11を間隔を置いてほぼ平行に並べており、それら型枠11，11間にコンクリート13を打設し、コンクリート13が硬化後、型枠11を上に引き抜くようにして外し、支持具１を引き抜き、基礎地盤12上に現場打ちコンクリート13が硬化したコンクリート基礎が形成される。前記支持具１を引き抜く場合、該支持具１にはほぼ水平方向の底板４が一体に設けられているから、底板４の下面を押し上げ、あるいは引張り上げるようにして比較的容易に支持具１を引き抜くことができる。
【００２１】
そして、コンクリート基礎の構築後、外した型枠11及び支持具１は同様なコンクリート基礎の構築に繰り返し使用することができる。
【００２２】
このように本実施例では、請求項１に対応して、基礎地盤12上に型枠11を固定し、型枠11内にコンクリート13を打設して基礎地盤12上にコンクリート基礎を構築するコンクリート基礎の構築に用いられ、型枠11を基礎地盤12上に固定するコンクリート型枠支持具において、基礎地盤12に打ち込む縦杆２と、この縦杆２の上部に設けられ型枠11を上方から嵌入可能で型枠長さ方向の嵌入受部材３とを一体に備えるから、型枠設置位置に合わせて、支持具１の縦杆２を打ち込み、嵌合受部材３を基礎地盤12上に設置し、その嵌合受部材３内に上部から型枠11を嵌入して該型枠11を基礎地盤12上に簡便に支持固定することができる。そして、支持具１は嵌入により型枠11を固定するものであるから、コンクリート13が硬化し、型枠11を外した後、支持具１自体を引き抜いて、繰り返し使用することができる。
【００２３】
また、このように本実施例では、請求項２に対応して、縦杆２の上端部２Ｔを嵌入受部材３の上端より上方に突出したから、基礎地盤12に縦杆２を打ち込む際、縦杆２の上端部２Ｔが嵌入受部材３より上部にあるから、嵌入受部材３に打撃が加わることがなく、しかも、設置状態で、上端部２Ｔの位置を測定することにより、複数の支持具１，１の高さ位置を正しく設定することができ、これにより型枠11の設置高さを正確に設定することができる。したがって、型枠11の高さを正確に設定できるから、型枠11内にコンクリート13を打設して構築するコンクリート基礎の高さも正確なものになる。
【００２４】
また、このように本実施例では、請求項３に対応して、縦杆２の外周面が円柱状であるから、縦杆２を打ち込んで設置した後、縦杆２を中心に嵌入受部材３の向きを調整することができる。
【００２５】
また、このように本実施例では、請求項４に対応して、請求項３のコンクリート型枠支持具１を用いて基礎地盤12上に型枠11を固定し、型枠11内にコンクリート13を打設して基礎地盤12上にコンクリート基礎を構築するコンクリート基礎構築方法であって、縦杆２の上端たる上端部２Ｔに打撃を加えて基礎地盤12に該縦杆２を打ち込み、１つの型枠11に対して複数の支持具１，１を基礎地盤12上に並設すると共に、上端部２Ｔを基準として支持具１の高さを設定し、複数並設した支持具１，１の嵌入受部材３，３に型枠11を嵌入する際、縦杆２を回すことにより嵌入受部材３の向きを合わせ、複数の支持具１，１の嵌入受部材３，３に型枠11を嵌入するから、上端部２Ｔの高さ位置を測定などすることにより、上端部２Ｔを基準にして複数の支持具１，１の高さを合わせて並設し、複数の支持具１，１の嵌入受部材３の向きは、縦杆２を中心に回転することにより調整し、複数の嵌入受部材３，３中に型枠11を簡便に嵌入して固定することができ、工数及び作業員の数も必要最小限で済み、作業性に優れたものとなる。
【００２６】
また、実施例上の効果として、側板５の左右方向中央に縦杆２を溶着などにより固着したから、縦杆２の打ち込み後、嵌入受部材３の向きを合わせ易く、また、支持具１は縦杆２を中心に平面で左右対称な形状をなし、かつ、棒状の縦杆２と略コ字状金属板の嵌入受部材３のみからなる構成であるから、両側に型枠11，11を配置する場合も向きを気にする必要がなく、極めて簡便で使い易いものとなる。
【実施例２】
【００２７】
図５は本発明の実施例２を示し、上記実施例１と同一部分に同一符号を付し、その詳細な説明を省略して詳述すると、この例では、前記縦杆２の外周面を角柱状に形成しており、縦杆２は棒状であるから、嵌入受部材３の向きを微調整することができ、請求項１、２及び４に対応して上記実施例１と同様な作用・効果を奏する。
【００２８】
なお、本発明は、前記実施例に限定されるものではなく、種々の変形実施が可能である。例えば、コンクリート基礎の大きさ形状などは適宜選定可能である。また、実施例では、嵌入受部材に１枚の型枠を嵌入したが、コンクリート基礎の厚さが大きな場合は、これに合わせて嵌入受部材の深さ寸法を大きく形成し、複数枚の型枠を上下方向に重ね合わせるようにして嵌入受部材内に嵌入してもよい。
【図面の簡単な説明】
【００２９】
【図１】本発明の実施例１を示す支持具と型枠の斜視図である。
【図２】同上、コンクリート基礎の構築工程を示す断面図である。
【図３】同上、構築工程を説明する斜視図である。
【図４】同上、構築工程を説明する平面図であり、図４（Ａ）は縦杆を打ち込んだ状態で、嵌入受部材の向きを合わせる前の状態を示し、図４（Ｂ）は嵌入受部材の向きを合わせ、型枠を嵌入した状態を示す。
【図５】本発明の実施例２を示す支持具と型枠の斜視図である。
【符号の説明】
【００３０】
１  支持具
２  縦杆
２Ｔ  上端部
３  嵌入受部材
11  型枠
12  基礎地盤
13  コンクリート
14  レーザー測量機（測量機）
【図１】
2006002448.tif 000003
【図２】
2006002448.tif 000004
【図３】
2006002448.tif 000005
【図４】
2006002448.tif 000006
【図５】
2006002448.tif 000007